(57)【要約】      （修正有）【課題】疲れることがなく、ネジの締めすぎによる係止の緩みを発生させない回転数が４倍になるドライバーを提供する。【解決手段】内部にストッパーカーバー部９を取り付けたストッパー金具８を介してボタン部７をグリップ用上カバー５により保護されるグリップ６内に設置し、下部にストッパーカム１１を連結したプッシュカム１０を前記ストッパーカバー部に接続した回転部２と、前記グリップ下部に取り付けられハウジングカバー１３により保護されるハウジング１２からなる支持部３と、前記ハウジング内に太陽ギア１４と係合する複数の遊星ギア１５と内歯ギア１７と係合する複数の遊星ギアを回動可能に取り付けたベース１６ａの中央にストッパー１９を備えたシャフト１８を挿通し、前記シャフトの下部にスライドリング２０を介してドライバ２１を取り外し可能に取り付けた作用部４とからなることを特徴とする回転数が４倍になるドライバーの構成とした。【選択図】図２
2007105800.tif 000002
【特許請求の範囲】
【請求項１】
内部にストッパーカーバー部を取り付けたストッパー金具を介してボタン部をグリップ用上カバーにより保護されるグリップ内に設置し、下部にストッパーカムを連結したプッシュカムを前記ストッパーカバー部に接続した回転部と、前記グリップ下部に取り付けられハウジングカバーにより保護されるハウジングからなる支持部と、前記ハウジング内に太陽ギアと係合する複数の遊星ギアと内場ギアと係合する複数の遊星ギアを回動可能に取り付けたベースの中央にストッパーを備えたシャフトを挿通し、前記シャフトの下部にスライドリングを介してドライバを取り外し可能に取り付けた作用部とからなることを特徴とする回転数が４倍になるドライバー。
【発明の詳細な説明】
【技術分野】
【０００１】
本発明は、ドライバーに関する発明である。
【背景技術】
【０００２】
従来、ドライバーは握り部と先端がプラスやマイナス、六角等の形状をした取り替え可能な先端部からなるものや、握り部にトリガーを設けて先端部だけが電動で回転するものがあった。
【０００３】
しかしながら、従来のドライバーのうち握り部と等倍の回転をする先端部を持つドライバーではネジ締めに時間がかかり、また多量のネジを締めるには手が疲れてしまい効率が悪かった。
【０００４】
また、握り部にトリガーを設けて先端部だけが電動で回転するドライバーでは、回転が速すぎて必要以上にネジ締めを行った結果、壁などへの係止が緩んでしまい適度な締めつけを行うのが面倒であった。
【特許文献１】特開２０００−８４８６５号公報
【発明の開示】
【発明が解決しようとする課題】
【０００５】
そこで、本発明は、ネジ締め速度が速いため疲れることがなく、また必要以上のネジ締めを容易に回避できるためネジの締めすぎによる係止の緩みを発生させない回転数が４倍になるドライバーを提供することを目的とするものである。
【課題を解決するための手段】
【０００６】
本発明は、上記の課題を解決するために、グリップ用上カバー５とグリップ用上カバー５により保護されるグリップ６とグリップ６内に設置されるボタン部７とボタン部７を取り付けるストッパー金具８とストッパー金具８の内部に取り付けられるストッパーカバー部９とストッパーカバー部９に接続されるプッシュカム１０とプッシュカム１０の下に連結されるストッパーカム１１からなる回転部２と、ハウジング１２とハウジング１２を保護するハウジングカバー１３からなる支持部３と、太陽ギア１４と太陽ギア１４と係合した複数の遊星ギア１５と遊星ギア１５を回動可能に取り付けるためのベース１６と３つの遊星ギア１５と咬み合う内場ギア１７と太陽ギア１４及びベース１６の中央を貫通したシャフト１８とシャフト１８の上部に取り付けられるストッパー１９とシャフト１８の下部に連結されるスライドリング２０とスライドリング２０を介してシャフト１９の下部に取り外し可能に取り付けられるドライバ２１からなる作用部４とからなることを特徴とする回転数が４倍になるドライバーの構成とした。
【発明の効果】
【０００７】
本発明の回転数が４倍になるドライバーは回転部の１回転に対して作用部が４回転するため、通常の手によるネジ締めが効率よく行うことができる。
【０００８】
また、従来通りネジ締めの感覚を手で感じながら行うことができるため、電動によるネジ締めで起こりやすかった過剰なネジ締めによる係止の緩みの発生を避けることができる。
【発明を実施するための最良の形態】
【０００９】
容易にネジ締めをすることができ、必要以上のネジ締めによる係止の緩みを発生させることがないドライバーという目的を、３種類のギアを組み合わせることによって実現した。
【実施例１】
【００１０】
図１は本発明である回転数が４倍になるドライバーの正面図、図２は回転数が４倍になるドライバーのＡ−Ａ線に沿った断面図である。図１及び図２に示すように、本発明である回転数が４倍になるドライバー１は、回転部２と回転部２の下に連結される支持部３と支持部３の下に連結される作用部４とからなる。
【００１１】
回転部２はグリップ用上カバー５とグリップ用上カバー５により保護されるグリップ６とグリップ６内に設置されるボタン部７とボタン部７を取り付けるストッパー金具８とストッパー金具８の内部に取り付けられるストッパーカバー部９とストッパーカバー部９に接続されるプッシュカム１０とプッシュカム１０の下に連結されるストッパーカム１１とからなる。
【００１２】
支持部３はハウジング１２とハウジング１２を保護するハウジングカバー１３とからなる。
【００１３】
作用部４は太陽ギア１４と太陽ギア１４と係合した複数の遊星ギア１５と遊星ギア１５を回動可能に取り付けるためのベース１６と３つの遊星ギア１５と咬み合う内場ギア１７と太陽ギア１４及びベース１６の中央を貫通したシャフト１８とシャフト１８の上部に取り付けられるストッパー１９とシャフト１８の下部に連結されるスライドリング２０とスライドリング２０を介してシャフト１９の下部に取り外し可能に取り付けられるドライバ２１とからなる。
【００１４】
次に図３から図４０を使用して各部材を説明することとする。図３は本発明である回転数が４倍になるドライバーのグリップ用上カバーの正面図、図４はグリップ用上カバーの平面図、図５はグリップ用上カバーの側面図、図６はグリップ用カバーのＢ−Ｂ線に沿った断面図、図７はグリップ用上カバーのＣ−Ｃ線に沿った断面図、図８はグリップ用上カバーのＤ−Ｄ線に沿った断面図である。
【００１５】
図３に示すように、グリップ用上カバー５は内部が中空の円柱状をしたカバー５ａからなり、カバー５ａの径は一定で、上部４分の１の部分については上端に向かうに従って径が小さくなり、上端部はもっとも径の小さい開口部５ｂとなっている。一方下端部の径はカバー５ａと同径であり、周囲にリブ５ｃが施されている。
【００１６】
図４に示すように、カバー５ａの側面には一対の凹部５ｄ、５ｄが設けられており、凹部５ｄ、５ｄはカバー５ａの中心より対称の位置に設けられている。
【００１７】
図５に示すように、カバー５ａの側面には円形の凹部５ｅが設けられている。凹部５ｅは前記凹部５ｄ、５ｄの中間に設けられており、更に図５で図示した凹部５ｅの対面にも同様に円形の凹部５ｅが設けられている。即ち、図６から図８の各断面図に示したような形状をしている。
【００１８】
図９は本発明である回転数が４倍になるドライバーのグリップの正面図、図１０はグリップの平面図、図１１はグリップのＥ−Ｅ線に沿った断面図、図１２はグリップのＦ−Ｆ線に沿った断面図である。
【００１９】
図９及び図１０に示すように、グリップ６は上端に半円形の開口部６ｂを設けたグリップ本体６ａとグリップ６ａの下部に連設した連結部６ｃとからなる。グリップ本体６ａは上部より見るとは半円形をしている。グリップ本体６ａの側壁面の両端には半円形の凹部６ｆ、６ｆを設けており、凹部６ｆ、６ｆはグリップ本体６ａの側壁面の中央より上側に設けられている。
【００２０】
グリップ本体６ａの中央よりやや下の内壁面には半円形の中央孔６ｊを設けた仕切６ｇが設けられている。また、仕切６ｇの下には２つの連結孔６ｅ、６ｅが設けられている。
【００２１】
グリップ本体６ａの内部のうち、グリップ本体６ａの上端に設けられた上開口部６ｂの下には円柱を縦半分にした接続部材６ｈが設けられており、接続部材６ｈの内部には等間隔に３枚の仕切６ｉ、６ｉ、６ｉが設けられている。仕切６ｉは半円形をしているが、更に径の小さい半円で刳り抜かれた形状をしている。
【００２２】
連結部６ｃはグリップ本体６ａよりもやや径の大きい半円形をした半筒体をしており、下部には下開口部６ｄを設けている。
【００２３】
図１０に示すように、グリップ６同士を向かい合わせて連結することにより、上部より見ると円形のグリップとなる。
【００２４】
図１１に示すように、グリップ本体６ａの外周面には凹部６ｋが設けられており、この凹部６ｋは前記グリップ用上カバー５の凹部５ｄとほぼ同じ形状をしている。図１２に示すように、グリップ本体６ａ内に設けられた連結孔６ｅは、グリップ本体６ａ同士を重ねた際に同じ位置にくるようになっており、重なり合った連結孔６ｅ同士を留め具等で連結することによってグリップ本体６ａ同士が連結される。
【００２５】
図１３は、本発明である回転数が４倍になるドライバーのボタン部の斜視図である。図１３に示すように、ボタン部７は、ボタン７ａとボタン７ａの下部中央に設けられた下突出部７ｂからなる。ボタン７ａは円盤状をしており、上部中央が緩やかに陥没した凹部７ｃとなり、中央には孔７ｄが穿設されている。
【００２６】
ボタン７ａの下部中央に設けられた下突出部７ｂは円柱状をしている。前記ボタン７ａの中央に穿設された孔７ｄは下突出部７ｂの下端まで貫通して穿設されている。
【００２７】
図１４は、本発明である回転数が４倍になるドライバーのストッパー金具の斜視図である。図１４に示すように、ストッパー金具８は、中央に孔８ｃを穿設したドーナツ型の連結部８ａと、連結部８ａの外周面に設けられた略Ｌ字型のストッパー脚８ｂ、８ｂからなり、２つのストッパー脚８ｂ、８ｂは連結部８ａを中心として対称の位置に設けられている。
【００２８】
図１５は、本発明である回転数が４倍になるドライバーのストッパーカバー部の斜視図である。図１５に示すように、ストッパーカバー部９は中央に孔９ｅを穿設した円柱状のストッパーカバー９ａからなり、ストッパーカバー９ａの外周面上には２枚の上突出板９ｂ、９ｂと２枚の下突出板９ｃ、９ｃが設けられている。
【００２９】
上下突出板９ｂ、９ｃは同径同大で、略半円上をしており、図１５に示すように上突出板９ｂの端部間には隙間９ｄが設けられており、同じく下突出板９ｃの端部間にも隙間が設けられて設置されている。更に、上下突出板９ｂ、９ｃの間にも隙間を設けて設置されている。
【００３０】
ストッパーカバー９ａの内壁面には４つの内ストッパー９ｆ、９ｆ、９ｆ、９ｆが設けられている。内ストッパー９ｆの下部にはそれぞれ２つの傾斜９ｇ、９ｇが形成されており、階段状になっている。
【００３１】
図１６は、本発明である回転数が４倍になるドライバーのプッシュカムの斜視図である。図１６に示すように、プッシュカム１０は円柱状の土台部１０ａと土台部１０ａの中央上部に設けられた円柱状の突出部１０ｂとからなり、土台部１０ａの径よりも突出部１０ｂの径の方が小さい。
【００３２】
土台部１０ａは内部が中空１０ｅとなっており、外周面には複数の凸部１０ｄが設けられている。また、土台部１０ａの下面には一周に渡って複数の山１０ｃが等間隔に形成されている。前記突出部１０ｂは円柱形をしており、内部は中空１０ｆとなっている。
【００３３】
図１７は、本発明である回転数が４倍になるドライバーのストッパーカムの斜視図である。図１７に示すように、ストッパーカム１１は、円柱状のストッパーカム本体１１ａと側面上部がテーパー状になったストッパーカム下部１１ｂとからなる。
【００３４】
ストッパーカム本体１１ａは内部が中空の円柱状をしており、ストッパーカム本体１１ａの下部にはストッパーカム下部１１ｂが連接している。ストッパーカム下部１１ｂの上部外周はテーパー状に傾斜しており、また、ストッパーカム下部１１ｂの外周面には４つの羽根１１ｅが十文字の位置になるように設けられている。羽根１１ｅの上部には傾斜１１ｆが設けられており、羽根１１ｅはストッパーカム下部１１ｂの円周に従って同方向を向いている。
【００３５】
ストッパーカム本体１１ａの上部は上開口部１１ｃとなっており、ストッパーカム下部１１ｂの下部は下開口部１１ｄとなっている。
【００３６】
図１８は本発明である回転数が４倍になるドライバーのハウジングの正面図、図１９はハウジングの平面図、図２０はハウジングの底面図、図２１はハウジングのＧ−Ｇ線に沿った断面図である。
【００３７】
図１８から図２１に示すように、ハウジング１２は上部から中央部に向かって径が小さくなり、中央部から下部にかけて径が一定であるハウジング本体１２ａと、ハウジング本体１２ａの下部に設けられた外周に凹凸１２ｆを施した接続部１２ｂと、ハウジング本体１２ａの上部に突出部１２ｃを介して設けられた連結部１２ｄとからなる。
【００３８】
ハウジング本体１２ａの上部の径と連結部１２ｄの径はほぼ同じで、突出部１２ｃの径は連結部１２ｄの径よりも一回り大きい。ハウジング本体１２ａの外周面には縦方向に４本のリブ１２ｅが施されており、４本のリブ１２ｅは十文字状に位置している。
【００３９】
図１９に示すように、連結部１２ｄの外周面には２つの凹部１２ｇが設けられており、凹部１２ｇ、１２ｇは連結部１２ｄの中心より対称に位置に設けられている。
【００４０】
図２０及び図２１に示すように、ハウジング本体１２、接続部１２ｂ及び連結部１２ｄは中空となっており、ハウジング本体１２ａと連結部１２ｄは一連の中空とである。接続部１２ｂの中空１２ｉは、ハウジング本体１２ａと接続部１２ｂの間に穿設された孔１２ｈを介してハウジング本体１２ａの中空と連結している。
【００４１】
図２２は本発明である回転数が４倍になるドライバーのハウジングカバーの正面図、図２３はハウジングカバーの平面図、図２４はハウジングカバーの底面図、図２５はハウジングカバーのＨ−Ｈ線に沿った断面図である。
【００４２】
図２２に示すように、ハウジングカバー１３は外周面に４本の外リブ１３ｂと滑り止め１３ｃを施したカバー１３ａからなり、４本の外リブ１３ｂは十文字状に位置するようにカバー１３ａ外周面に縦方向に施されている。滑り止め１３ｃは外リブ１３ｂ間に施されている。
【００４３】
図２３に示すように、カバー１３ａの内周面には４本の内リブ１３ｄが施されており、４本の内リブ１３ｄは十文字状に位置するようにカバー１３ａの内壁面に設けられている。図２４及び図２５に示すように、カバー１３ａは内部が中空となっており、底面の孔１３ｅは４つの凹部１３ｆを形成した略円形をしている。尚、４つの凹部１３ｆは十文字状位置にくるように形成されている。
【００４４】
図２６は本発明である回転数が４倍になるドライバーの太陽ギアの正面図、図２７は太陽ギアの平面図、図２８は太陽ギアのＩ−Ｉ線に沿った断面図である。図２６から図２８に示すように、太陽ギア１４は筒状の中央本体１４ａとギア部１４ｂからなり、中央本体１４ａの側面には２つの貫通孔１４ｃが穿設されている。２つの貫通孔１４ｃは中央本体１４ａの中心から対称になるように穿設されている。
【００４５】
図２７及び図２８に示すように、ギア部１４ｂの外周面には複数の歯１４ｄ、１４ｄ、１４ｄ・・・が形成されており、ギア部１４ｂの内部は中空１４ｅである。本発明ではギア部１４ｂの歯４ｄの数を１８設けたが、歯数は特に限定したものではない。
【００４６】
図２９は本発明である回転数が４倍になるドライバーの遊星ギアの正面図、図３０は遊星ギアの平面図、図３１遊星ギアのＪ−Ｊ線に沿った断面図である。図２９から図３１に示すように、遊星ギア１５はギア部１５ａと中央本体１５ｂとからなる。
【００４７】
ギア部１５ａは外周面に複数の歯１５ｃを形成し、中央本体１５ｂは中央に孔を穿設して中空１５ｄとなっている。本発明ではギア部１５ａの歯１５ｃの数を２４設けたが、歯数は特に限定したものではない。
【００４８】
図３２は本発明である回転数が４倍になるドライバーのギアベースの平面図である。図３２に示すように、ギアベース１６は２つの凹部１６ｅ、１６ｅを形成した略円盤状のベース１６ａからなり、ベース１６ａは中央に中央孔１６ｂを穿設し、更に各３つのギア連結孔１６ｃ、１６ｄを穿設している。
【００４９】
ギア連結孔１６ｃ、１６ｃ、１６ｃは中央孔１６ｂとベース１６ａの外周の真ん中に位置する場所に穿設されており、更に３つのギア連結孔１６ｃ同士の距離が等しい。もう一方のギア連結孔１６ｄ、１６ｄ、１６ｄは中央孔１６ｂより若干ベース１６ａの外周側に穿設されており、更に３つのギア連結孔１６ｄ同士の距離が等しい。また、ギア連結孔１６ｃとギア連結孔１６ｄは交互に穿設されている。
【００５０】
図３３は本発明である回転数が４倍になるドライバーの内場ギアの平面図である。図３３に示すように、内場ギア１７は、内部が大きく中空１７ｂとなったギア枠１７ａからなり、ギア枠１７ａの内壁面には複数の歯１７ｃが形成されている。ギア枠１７ａの外周面には２つの凹部１７ｄ、１７ｄが形成されている。本発明では、ギア枠１７ａの内壁面に形成された歯１７ｃの数を７２設けたが、歯数は特に限定したものではない。
【００５１】
図３４は本発明である回転数が４倍になるドライバーのシャフトの正面図、図３５はシャフトの平面図、図３６はシャフトの底面図、図３７はシャフトのＫ−Ｋ線に沿った断面図である。
【００５２】
図３４から図３７に示すように、シャフト１８は略円柱状のシャフト本体１８ａからなり、シャフト本体１８ａの下部には上下拡張部１８ｂ、１８ｃが設けられており、上下拡張部１８ｂ、１８ｃの間は凹部１８ｆとなっている。シャフト本体１８ａの上端には凹部１８ｇを形成した接続部１８ｄが設けられている。
【００５３】
図３６及び図３７に示すように、上下拡張部１８ｂ、１８ｃには六角孔１８ｈが穿設され内部は中空となっている。また、下拡張部１８ｃの内壁面には孔１８ｉが穿設されている。シャフト本体１８ａの中央より上部には貫通孔１８ｅが穿設されている。
【００５４】
図３８は本発明である回転数が４倍になるドライバーのストッパーの斜視図である。図３８に示すように、ストッパー１９は中央に孔１９ｃを穿設した略ドーナツ型のストッパー本体１９ａとストッパー本体１９ａの外周面より４方向に突出して設けられた突出部１９ｂ、１９ｂ、１９ｂ、１９ｂとからなる。孔１９ｃには凸部１９ｄが突出しているため、孔１９ｃは略円形をしている。
【００５５】
図３９は本発明である回転数が４倍になるドライバーのスライドリングの正面図、図４０はスライドリングのＬ−Ｌ線に沿った断面図である。図３９及び図４０に示すように、スライドリング２０は内部が中空２０ｃで円柱状のリング本体２０ａからなり、リング本体２０ａの下部は下拡張部２０ｂとなっている。下拡張部２０ｂの内部も中空２０ｄとなっており、中空２０ｄの径は中空２０ｃの径よりも小さい。
【００５６】
次に図２及び図４１、図４２を使用して各部材の組み立て状態を説明することとする。図２は本発明である回転数が４倍になるドライバーのＡ−Ａ線に沿った断面図、図４１は本発明である回転数が４倍になるドライバーの回転部内部を示した斜視図、図４２は本発明である回転数が４倍になるドライバーのギアの係合状態を示した平面図である。
【００５７】
図２及び図４１に示すように、回転部２はグリップ用上カバー５とグリップ用上カバー５により保護されるグリップ６とグリップ６内に設置されるボタン部７とボタン部７を取り付けるストッパー金具８とストッパー金具８の内部に取り付けられるストッパーカバー部９とストッパーカバー部９に接続されるプッシュカム１０とプッシュカム１０の下に連結されるストッパーカム１１とからなる。
【００５８】
グリップ６の上部中央より内部下方へ向かって設けられている接続部材６ｈ内にストッパーカバー９を取り付ける。このとき、グリップ６の３枚の仕切６ｉの間に設けられた隙間にストッパーカバー部９の上下突出板９ｂ、９ｃを差込まれている。次にストッパーカバー部９の隙間９ｄ、９ｄにストッパー金具８のストッパー脚８ｂ、８ｂを上から挿入する。
【００５９】
ストッパー金具８の連結部８ａに穿設された孔８ｃにボタン部７の下突出部７ｂを挿入し、ストッパーカバー部９の内部には突出部１０ｂが孔９ｅから突出するようにプッシュカム１０を挿入し、更にプッシュカム１０の突出部１０ｂとボタン部７の下突出部７ｂを留め具２２で連結する。プッシュカム１０の下にはストッパーカム１１が連設しておりシャフト１８の上端に取り付けられたスプリング２３の上部によって押し上げられている。以上の構造を内包したグリップ６の外面にグリップ用上カバー５が覆われている。
【００６０】
図２に示すように、支持部３はハウジング１２とハウジング１２を保護するハウジングカバー１３とからなる。ハウジング１２は、前述の回転部２を構成するグリップ６と接続される。連結部１２ｄと突出部１２ｃの間に形成された溝にグリップ６の連結部６ｃの下端が係合されることにより、ハウジング１２とグリップ６が連結する。
【００６１】
ハウジング本体１２ａの外周側面はハウジングカバー１３により覆われハウジング１２を握った際に滑りにくくなっている。
【００６２】
図２、図４１及び図４２に示すように、作用部４は太陽ギア１４と太陽ギア１４と係合した複数の遊星ギア１５と遊星ギア１５を回動可能に取り付けるためのベース１６と３つの遊星ギア１５と咬み合う内場ギア１７と太陽ギア１４及びベース１６の中央を貫通したシャフト１８とシャフト１８の上部に取り付けられるストッパー１９とシャフト１８の下部に連結されるスライドリング２０とスライドリング２０を介してシャフト１９の下部に取り外し可能に取り付けられるドライバ２１とからなる。
【００６３】
シャフト１８の上端の接続部１８ｄにはストッパー１９が接続され、更にストッパー１９を固定するように接続部１８ｄにスプリング２３が接続されている。シャフト本体１８ａはギアベース１６の中央孔１６ｂと太陽ギア１４の中空１４ｅを貫通して回動可能に連結しており、ギアベース１６のギア連結孔１６ｃ、１６ｄには遊星ギア１５が留め具２４により回動可能に取り付けられている。また、シャフト本体１８ａのストッパー１９と太陽ギア１４の間にはベアリング２７が取り付けられている。
【００６４】
ギア連結孔１６ｄに取り付けられた３つの遊星ギア１５は内場ギア１７と係合する。内場ギア１７は３つの遊星ギア１５とだけ係合している。また、太陽ギア１４はギア連結孔１６ｃに取り付けられた３つの遊星ギア１５とだけ係合している。
【００６５】
シャフト１８は下部の上拡張部１８ｂの位置で支持部３のハウジング１２の接続部１２ｂとベアリング２５を介して回動可能に連結している。シャフト１８の下拡張部１８ｃに穿設された孔１８ｉにはボールベアリング２６が取り付けられ、更にシャフト１８の上下拡張部１８ｂ、１８ｃはスライドリング２０により覆われている。
【００６６】
六角孔１８ｈに挿入されるドライバ２１の側面には凹部が形成されており、このドライバ２１の凹部に前記のボールベアリング２６が嵌り込んでドライバ２１を固定している。ドライバ２１を外すには、上下拡張部１８ｂ、１８ｃを覆っているスライドリング２０を下方にスライドさせて内径が広い部分をボールベアリング２６の位置に合わせることで、ボールベアリング２６がスライドリング２０内に逃げることができ、ドライバ２１の凹部からボールベアリング２６が外れる。尚、スライドリング２０内にはスプリング２８が設置されており、このスプリング２８によってスライドリング２０は上方に戻ることができる。
【００６７】
支持部３を握り、回転部２を回転させることで作用部４は回転部２の１回転に対して４倍の４回転をする。また、回転部２を１回転させる際に、支持部３を逆方向に１回転させると作用部は８回転となり、更に速いネジ締めをすることができる。
【００６８】
その上、前記ボタン部７を下方に押し下げることでストッパー金具８がストッパー１９を固定するため、ストッパー１９と連結されているシャフト１８も固定されるため、回転部２と作用部４の回転が同じとなり、回転部２の１回転に対して作用部４も１回転する通常のドライバとして使用することが可能である。これはネジ締めで最も抵抗が強くなる最後のネジ締めの際にギアの回転を利用せずに確実にネジ締めを行うためである。
【図面の簡単な説明】
【００６９】
【図１】本発明である回転数が４倍になるドライバーの正面図である。
【図２】本発明である回転数が４倍になるドライバーのＡ−Ａ線に沿った断面図である。
【図３】本発明である回転数が４倍になるドライバーのグリップ用上カバーの正面図である。
【図４】本発明である回転数が４倍になるドライバーのグリップ用上カバーの平面図である。
【図５】本発明である回転数が４倍になるドライバーのグリップ用上カバーの側面図である。
【図６】本発明である回転数が４倍になるドライバーのグリップ用カバーのＢ−Ｂ線に沿った断面図である。
【図７】本発明である回転数が４倍になるドライバーのグリップ用上カバーのＣ−Ｃ線に沿った断面図である。
【図８】本発明である回転数が４倍になるドライバーのグリップ用上カバーのＤ−Ｄ線に沿った断面図である。
【図９】本発明である回転数が４倍になるドライバーのグリップの正面図である。
【図１０】本発明である回転数が４倍になるドライバーのグリップの平面図である。
【図１１】本発明である回転数が４倍になるドライバーのグリップのＥ−Ｅ線に沿った断面図である。
【図１２】本発明である回転数が４倍になるドライバーのグリップのＦ−Ｆ線に沿った断面図である。
【図１３】本発明である回転数が４倍になるドライバーのボタン部の斜視図である。
【図１４】本発明である回転数が４倍になるドライバーのストッパー金具の斜視図である。
【図１５】本発明である回転数が４倍になるドライバーのストッパーカバー部の斜視図である。
【図１６】本発明である回転数が４倍になるドライバーのプッシュカムの斜視図である。
【図１７】本発明である回転数が４倍になるドライバーのストッパーカムの斜視図である。
【図１８】本発明である回転数が４倍になるドライバーのハウジングの正面図である。
【図１９】本発明である回転数が４倍になるドライバーのハウジングの平面図である。
【図２０】本発明である回転数が４倍になるドライバーのハウジングの底面図である。
【図２１】本発明である回転数が４倍になるドライバーのハウジングのＧ−Ｇ線に沿った断面図である。
【図２２】本発明である回転数が４倍になるドライバーのハウジングカバーの正面図である。
【図２３】本発明である回転数が４倍になるドライバーのハウジングカバーの平面図である。
【図２４】本発明である回転数が４倍になるドライバーのハウジングカバーの底面図である。
【図２５】本発明である回転数が４倍になるドライバーのハウジングカバーのＨ−Ｈ線に沿った断面図である。
【図２６】本発明である回転数が４倍になるドライバーの太陽ギアの正面図である。
【図２７】本発明である回転数が４倍になるドライバーの太陽ギアの平面図である。
【図２８】本発明である回転数が４倍になるドライバーの太陽ギアのＩ−Ｉ線に沿った断面図である。
【図２９】本発明である回転数が４倍になるドライバーの遊星ギアの正面図である。
【図３０】本発明である回転数が４倍になるドライバーの遊星ギアの平面図である。
【図３１】本発明である回転数が４倍になるドライバーの遊星ギアのＪ−Ｊ線に沿った断面図である。
【図３２】本発明である回転数が４倍になるドライバーのギアベースの平面図である。
【図３３】本発明である回転数が４倍になるドライバーの内場ギアの平面図である。
【図３４】本発明である回転数が４倍になるドライバーのシャフトの正面図である。
【図３５】本発明である回転数が４倍になるドライバーのシャフトの平面図である。
【図３６】本発明である回転数が４倍になるドライバーのシャフトの底面図である。
【図３７】本発明である回転数が４倍になるドライバーのシャフトのＫ−Ｋ線に沿った断面図である。
【図３８】本発明である回転数が４倍になるドライバーのストッパーの斜視図である。
【図３９】本発明である回転数が４倍になるドライバーのスライドリングの正面図である。
【図４０】本発明である回転数が４倍になるドライバーのスライドリングのＬ−Ｌ線に沿った断面図である。
【図４１】本発明である回転数が４倍になるドライバーの回転部内部を示した斜視図である。
【図４２】本発明である回転数が４倍になるドライバーのギアの係合状態を示した平面図である。
【符号の説明】
【００７０】
１      回転数が４倍になるドライバー
２      回転部
３      支持部
４      作用部
５      グリップ用上カバー
５ａ    カバー
５ｂ    開口部
５ｃ    リブ
５ｄ    凹部
５ｅ    凹部
６      グリップ
６ａ    グリップ本体
６ｂ    上開口部
６ｃ    連結部
６ｄ    下開口部
６ｅ    連結孔
６ｆ    凹部
６ｇ    仕切
６ｈ    接続部材
６ｉ    仕切
６ｊ    中央孔
６ｋ    凹部
７      ボタン部
７ａ    ボタン
７ｂ    下突出部
７ｃ    凹部
７ｄ    孔
８      ストッパー金具
８ａ    連結部
８ｂ    ストッパー脚
８ｃ    孔
９      ストッパーカバー部
９ａ    ストッパーカバー
９ｂ    上突出板
９ｃ    下突出板
９ｄ    隙間
９ｅ    孔
９ｆ    内ストッパー
９ｇ    傾斜
１０      プッシュカム
１０ａ    土台部
１０ｂ    突出部
１０ｃ    山
１０ｄ    凸部
１０ｅ    中空
１０ｆ    中空
１１      ストッパーカム
１１ａ    ストッパーカム本体
１１ｂ    ストッパーカム下部
１１ｃ    上開口部
１１ｄ    下開口部
１１ｅ    羽根
１１ｆ    傾斜
１２      ハウジング
１２ａ    ハウジング本体
１２ｂ    接続部
１２ｃ    突出部
１２ｄ    連結部
１２ｅ    リブ
１２ｆ    凹凸
１２ｇ    凹部
１２ｈ    孔
１２ｉ    中空
１３      ハウジングカバー
１３ａ    カバー
１３ｂ    外リブ
１３ｃ    滑り止め
１３ｄ    内リブ
１３ｅ    孔
１３ｆ    凹部
１４      太陽ギア
１４ａ    中央本体
１４ｂ    ギア部
１４ｃ    貫通孔
１４ｄ    歯
１４ｅ    中空
１５      遊星ギア
１５ａ    ギア部
１５ｂ    中央本体
１５ｃ    歯
１５ｄ    中空
１６      ギアベース
１６ａ    ベース
１６ｂ    中央孔
１６ｃ    ギア連結孔
１６ｄ    ギア連結孔
１６ｅ    凹部
１７      内歯ギア
１７ａ    ギア枠
１７ｂ    中空
１７ｃ    歯
１７ｄ    凹部
１８      シャフト
１８ａ    シャフト本体
１８ｂ    上拡張部
１８ｃ    下拡張部
１８ｄ    接続部
１８ｅ    貫通孔
１８ｆ    凹部
１８ｇ    凹部
１８ｈ    六角孔
１８ｉ    孔
１９      ストッパー
１９ａ    ストッパー本体
１９ｂ    突出部
１９ｃ    孔
１９ｄ    凸部
２０      スライドリング
２０ａ    リング本体
２０ｂ    下拡張部
２０ｃ    中空
２０ｄ    中空
２１      ドライバ
２２      留め具
２３      スプリング
２４      留め具
２５      ベアリング
２６      ボールベアリング
２７      ベアリング
２８      スプリング
【図１】
2007105800.tif 000003
【図２】
2007105800.tif 000004
【図３】
2007105800.tif 000005
【図４】
2007105800.tif 000006
【図５】
2007105800.tif 000007
【図６】
2007105800.tif 000008
【図７】
2007105800.tif 000009
【図８】
2007105800.tif 000010
【図９】
2007105800.tif 000011
【図１０】
2007105800.tif 000012
【図１１】
2007105800.tif 000013
【図１２】
2007105800.tif 000014
【図１３】
2007105800.tif 000015
【図１４】
2007105800.tif 000016
【図１５】
2007105800.tif 000017
【図１６】
2007105800.tif 000018
【図１７】
2007105800.tif 000019
【図１８】
2007105800.tif 000020
【図１９】
2007105800.tif 000021
【図２０】
2007105800.tif 000022
【図２１】
2007105800.tif 000023
【図２２】
2007105800.tif 000024
【図２３】
2007105800.tif 000025
【図２４】
2007105800.tif 000026
【図２５】
2007105800.tif 000027
【図２６】
2007105800.tif 000028
【図２７】
2007105800.tif 000029
【図２８】
2007105800.tif 000030
【図２９】
2007105800.tif 000031
【図３０】
2007105800.tif 000032
【図３１】
2007105800.tif 000033
【図３２】
2007105800.tif 000034
【図３３】
2007105800.tif 000035
【図３４】
2007105800.tif 000036
【図３５】
2007105800.tif 000037
【図３６】
2007105800.tif 000038
【図３７】
2007105800.tif 000039
【図３８】
2007105800.tif 000040
【図３９】
2007105800.tif 000041
【図４０】
2007105800.tif 000042
【図４１】
2007105800.tif 000043
【図４２】
2007105800.tif 000044